(57)【要約】【課題】  本発明は、器具のあちこちに手を触れることなく、ペーパーのみを引き出せる、衛生的で、かつペーパー先端片を容易につまみ易くしたワンタッチペーパーホルダーを提供する。【解決手段】  カッターの刃を上向き刃とした向き刃の二段構えに配置し、ペーパー片をロールの下側から引き出せることを特徴とするワンタッチペーパーホルダー。【選択図】図１
2011104329.tif 000002
【特許請求の範囲】
【請求項１】
左右の側面板と背面板に囲われたペーパーホルダー本体において、上方向と前方が開かれており、底面部の前の約３分の１を左右の側面板をつなぐように接合させてカッター板を設け、カッター板の上面中央部にペーパー取り出し補助板を設け、カッター板前面にカッター上向き刃とカッター下向き刃をカッター刃止め具で取り付け、カッター板のすぐ後ろに、カッター板に平行に、両側面板をつなぐように、ペーパー案内ローラーを取り付け、カッター板より一段高い位置に、カッター板より後ろに、背面板と両側面板に接合させてケース底板を設け、カッター板とケース底板との段差スペースは、そのままペーパーホルダー本体の底抜けとなり、ケース底板のすぐ前に、平行に、両側面板をつなぐように、もう一つのペーパー案内ローラーを取り付け、左右両側面板内側に、側面板前頭頂部からケース底板の最後部まで対角線状にレールを設け、ペーパーホルダー本体と別個に、ロールペーパーの芯部に挿入装着するためのシャフト付きローラーを用意していることを特徴とするワンタッチペーパーホルダー。
【発明の詳細な説明】
【技術分野】
【０００１】  本発明は、上段にロールペーパー、下段にカッター機能を有したワンタッチペーパーホルダーである。
ペーパーをカットしたあと、次に引き出しやすいように、ペーパーの先端部が残り、ホルダーやカッター刃に触れることなく、ペーパーを取り出せる衛生的なワンタッチペーパーホルダーに関するものである。
【背景技術】
【０００２】  従来のペーパーホルダーは、ペーパーを引き出すとき、ペーパーの先端部を掴むのに、カッターを持ち上げていた。
たとえば、病院や学校等では、特に衛生面で問題が多かった。
【発明の概要】
【発明が解決しようとする課題】
【０００３】  そのために、次のような問題点があった。
（イ）病院や学校、工場等多数の人が利用する所なので、ホルダーのフタやカッター、ペ    ーパーなどに触れると、次の利用者もそこに触れることになり、不衛生であった。
（ロ）たとえば、インフルエンザの流行や、各種伝染病等に対しての予防的配慮に欠けて    いた。
（ハ）手の不自由な人等がペーパーを引き出しにくかった。
本発明は、これらの問題点を解決されるためになされたものである。
【課題を解決するための手段】
【０００４】  左右の側面板と背面板に囲われたペーパーホルダー本体において、上方向と前方が開かれており、底面部の前の約３分の１を左右の側面板をつなぐように接合させてカッター板を設ける。
カッター板の中央部にペーパー取り出し補助板を設ける。
カッター板にカッター上向き刃とカッター下向き刃をカッター刃止め具で取り付ける。
カッター板のすぐ後ろに、カッター板に平行に、両側面板をつなぐように、ペーパー案内ローラーを取り付ける。
カッター板より一段高い位置に、カッター板より後ろに背面板と両側面板に接合させてケース底板を設ける。
カッター板とケース底板との段差スペースは、そのままペーパーホルダー本体の底抜けとなる。
ケース底板のすぐ前に、平行に両側面板をつなぐように、もう一つのペーパー案内ローラーを取り付ける。
左右両側面板内側に、側面板前頭頂部からケース底板の最後部まで対角線上にレールを設ける。
ペーパーホルダー本体と別個に、ロールペーパーの芯部に挿入装着するためのシャフト付きローラーを用意する。
付属のローラーシャフトに装着されたペーパーを下側からペーパー片を通り出すようにレールをセットする。
以上のように構成されたワンタッチペーパーホルダーである。
【発明の効果】
【０００５】（イ）衛生上の観点から、ホルダーのフタやカッター、ペーパー等に直接ふれない構造な    ので、公共施設や工場等、多数の人が利用する処でも安心である。
（ロ）また、インフルエンザ等の流行性の病気に対する予防効果もある。
（ハ）ペーパー取り出し補助板によって、指先の不自由な人でもスムーズにペーパー片を    つまむことができる。
【図面の簡単な説明】
【０００６】
【図１】  本発明の説明図である。
【図２】  本発明を使用するときの説明図である。
【図３】  本発明に付属する専用のシャフト付きローラーの斜視図である。
【発明を実施するための形態】
【０００７】  以下、本発明の形態について説明する。
左右の側面板（２）と背面板（１）に囲われたペーパーホルダー本体において、
（イ）上方向と前方が開かれており、底面部の前の約３分の１を左右の側面（２）をつな    ぐように接合させてカッター板（５）を設ける。
（ロ）カッター板（５）の上面中央部にペーパー取り出し補助板（１０）を設け、カッタ    ー板（５）の前面にカッター上向き刃（６）とカッター下向き刃（７）をカッター刃    止め（８）で取り付ける。
（ハ）カッター板（５）のすぐ後ろに、カッター板（５）に平行に、両側面板（２）をつ    なぐように、ペーパー案内ローラー（１１）を取り付ける。
（ニ）カッター板（５）より後ろに、カッター板（５）より一段高い位置に、背面板（１    ）と両側面板（２）に接合させて、ケース底板（３）を設ける。
（ホ）カッター板（５）とケース底板（３）との段差スペースは、そのままペーパーホル    ダー本体の底抜けとなる。
（ヘ）ケース底板（３）のすぐ前に、平行に、両側面板（２）をつなぐように、もう一つ    のペーパー案内ローラー（１１）を取り付ける。
（ト）左右両側面板（２）の内側に、側面板前頭頂部（１３）からケース底板（３）の最    後まで対角線上にレール（４）を設ける。
（チ）ペーパーホルダー本体と別個に、ロールペーパー（１２）の芯部に挿入装着するた    めのシャフト付きローラー（９）を用意する。
本発明は以上のような構成である。
本発明を使用するときは、ロールペーパー（１２）をシャフト付きローラー（９）に装着し、両側面板（２）内側のレール（４）の上に、シャフト部（１４）を乗せ、ケース底板（３）の側からロールペーパー（１２）のペーパー先端片を引き出す。
ロールペーパー（１２）は自重で背面板（１）とケース底板（３）に接触し、軽い摩擦で適度の引っ張り強度を生み、ペーパー案内ローラー（１１）でスムーズに引き出せる。
ペーパー先端片を、カッター板（５）の前面に引き出し、下方に引っ張って、カッター上向き刃（６）で切る。
ペーパー先端片はペーパー取り出し補助板（１０）をつまむようにすれば、簡単に確実につまむことができる。
または、ペーパーの先端片を、カッター板（５）の後ろから下方に垂らし、カッター板（５）の前方で上向きに引っ張ってカッター下向き刃（７）で切っても良い。
身体的な事情等によって、自由に使い分けることができる。
【符号の説明】
【０００８】１  背面板
２  側面板
３  ケース底板
４  レール
５  カッター板
６  カッター上向刃
７  カッター下向刃
８  カッター刃止め具
９  シャフト付きローラー
１０  ローラー取出し補助板
１１  ペーパー案内ローラー
１２  ロールペーパー
１３  側面板前頭頂部
１４  シャフト部
【図１】
2011104329.tif 000003
【図２】
2011104329.tif 000004
【図３】
2011104329.tif 000005